(57)【要約】【課題】複数の数値情報を得ることができる観察光学機器を提供すること。【解決手段】前記課題を解決するための手段は、所定の数値情報を測定する数値情報測定手段５、６、７と、前記数値情報を伝達可能な情報伝達手段とを備え、前記数値情報伝達手段は、焦点位置に配置され、前記数値情報の内、最大の桁数からなる数値情報を表示可能な桁数を有する表示器４を有することを特徴とする観察光学機器である。【選択図】          図２
2006052958.tif 000002
【特許請求の範囲】
【請求項１】
所定の数値情報を測定する数値情報測定手段と、前記数値情報を伝達可能な情報伝達手段とを備え、
前記数値情報伝達手段は、焦点位置に配置され、前記数値情報の内、最大の桁数からなる数値情報を表示可能な桁数を有する表示器を有する
ことを特徴とする観察光学機器。
【請求項２】
前記数値情報測定手段は、時刻を表示し、所定の時間を測定する時計、温度を測定する温度センサ、方位を測定する磁気センサ、傾斜角を測定する傾斜角センサ、観察対象物の個数を測定する計数器、および所定の２点間の距離を測定する距離測定器の少なくともいずれか１つを有する
前記請求項１に記載の観察光学機器。
【請求項３】
前記数値情報伝達手段に伝達される前記数値情報の種類を切り替える切替スイッチと、前記切替スイッチにより切り替えられた前記数値情報に対応するように前記数値情報測定手段に指令する演算器とを備えてなる
前記請求項１または２に記載の観察光学機器。
【請求項４】
前記演算器は、前記数値情報の種類毎に区別して表示するように前記数値情報伝達手段に指令する
前記請求項３に記載の観察光学機器。
【請求項５】
前記演算器は、前記数値情報の種類毎に対応した表示時間に区別して、前記数値情報を表示するように前記数値情報伝達手段に指令する
前記請求項３または４に記載の観察光学機器。
【請求項６】
前記表示時間を変更する変更スイッチを備え、
前記演算器は、前記変更スイッチにより変更された前記表示時間に対応するように前記数値情報測定手段に指令する
前記請求項５に記載の観察光学機器。
【請求項７】
前記演算器は、単位時間当たりの前記数値情報の変化量が、所定の変化量を超えた際に、前記表示時間を変更し、変更された前記表示時間に対応するように前記数値情報測定手段に指令する
前記請求項５または６に記載の観察光学機器。
【請求項８】
前記表示器は、前記数値情報の種類を示す情報種類表示を予め有している
前記請求項１〜７のいずれか１項に記載の観察光学機器。
【請求項９】
前記表示器は、複数の表示エリアを有し、その中央部がガラスで構成されている
前記請求項１〜８のいずれか１項に記載の観察光学機器。
【請求項１０】
前記表示器は、それぞれ独立に動作する複数の表示部を有する
前記請求項１〜９のいずれか１項に記載の観察光学機器。
【請求項１１】
前記表示器は、観察光学機器の視野外の部分に格納可能とされている
前記請求項１〜１０のいずれか１項に記載の観察光学機器。
【請求項１２】
前記表示器は、観察光学機器の視野全域に対して表示可能な透過型表示器を有する
前記請求項１１に記載の観察光学機器。
【請求項１３】
前記表示器は、観察光学機器の視野全域に対して表示可能な非透過型表示器を有する
前記請求項１１に記載の観察光学機器。
【請求項１４】
前記表示器は、前記表示器が設けられている側とは反対側の視野全域に対して視野内の明るさを暗くする遮蔽手段を有する
前記請求項１３に記載の観察光学機器。
【請求項１５】
前記表示器は、観察光学機器の一対の視野にそれぞれ設けられている
前記請求項１〜１４のいずれか１項に記載の観察光学機器。
【請求項１６】
前記数値情報伝達手段は、前記数値情報を聴覚的に伝達する音声伝達器をさらに有する
前記請求項１〜１５のいずれか１項に記載の観察光学機器。
【発明の詳細な説明】
【技術分野】
【０００１】
本発明は、観察光学機器に関し、特に詳しくは、複数の数値情報を得ることができる観察光学機器に関する。
【背景技術】
【０００２】
従来から、双眼鏡、単眼鏡、望遠鏡等の観察光学機器の視野内には、表示器が配置され、観察者が景色等を見るのと同時に、表示される情報を見られるようになっているものがある。
【０００３】
観察光学機器として、双眼鏡等の内部に表示器を配置する例として、例えば、「表示画像が、観察光学系から得られる視界域の下部に現われ、観測者はそれを見て、観測地点から標的までの距離を知ることができる。」という例を挙げることができる（特許文献１参照）。
【０００４】
【特許文献１】実用新案登録第３０８９１０１号公報
【０００５】
この例は、具体的には、図２０に示されるように、双眼鏡の視野内に、表示画像である風景が表示されている。この視野内においては、例えば、測定した距離を示す数値情報が表示されている。また、数値情報の種類を示すマークとして、スキャン（動作モード）、メートル表示（単位）、およびヤード表示（単位）が表示されている。数値情報の桁数およびマークは、例えば、距離情報を表示するために最適化されている。また、複数の数値情報を表示器に表示したい場合があるが、前述の特許文献１に記載の発明においては、表示器には、１つの数値情報（例えば、距離情報）を表示するようにしているため、複数の数値情報を表示できず、利用できないという問題点がある。
【発明の開示】
【発明が解決しようとする課題】
【０００６】
本発明は、このような従来の問題点を解消し、また、観察光学機器としての機能を損なうことなく、複数の数値情報を得ることができる観察光学機器を提供することをその課題とする。
【課題を解決するための手段】
【０００７】
前記課題を解決するための手段として、
請求項１は、所定の数値情報を測定する数値情報測定手段と、前記数値情報を伝達可能な情報伝達手段とを備え、前記数値情報伝達手段は、焦点位置に配置され、前記数値情報の内、最大の桁数からなる数値情報を表示可能な桁数を有する表示器を有することを特徴とする観察光学機器であり、
請求項２は、前記数値情報測定手段は、時刻を表示し、所定の時間を測定する時計、温度を測定する温度センサ、方位を測定する磁気センサ、傾斜角を測定する傾斜角センサ、観察対象物の個数を測定する計数器、および所定の２点間の距離を測定する距離測定器の少なくともいずれか１つを有する前記請求項１に記載の観察光学機器であり、
請求項３は、前記数値情報伝達手段に伝達される前記数値情報の種類を切り替える切替スイッチと、前記切替スイッチにより切り替えられた前記数値情報に対応するように前記数値情報測定手段に指令する演算器とを備えてなる前記請求項１または２に記載の観察光学機器であり、
請求項４は、前記演算器は、前記数値情報の種類毎に区別して表示するように前記数値情報伝達手段に指令する前記請求項３に記載の観察光学機器であり、
請求項５は、前記演算器は、前記数値情報の種類毎に対応した表示時間に区別して、前記数値情報を表示するように前記数値情報伝達手段に指令する前記請求項３または４に記載の観察光学機器であり、
請求項６は、前記表示時間を変更する変更スイッチを備え、前記演算器は、前記変更スイッチにより変更された前記表示時間に対応するように前記数値情報測定手段に指令する前記請求項５に記載の観察光学機器であり、
請求項７は、前記演算器は、単位時間当たりの前記数値情報の変化量が、所定の変化量を超えた際に、前記表示時間を変更し、変更された前記表示時間に対応するように前記数値情報測定手段に指令する前記請求項５または６に記載の観察光学機器であり、
請求項８は、前記表示器は、前記数値情報の種類を示す情報種類表示を予め有している
前記請求項１〜７のいずれか１項に記載の観察光学機器であり、
請求項９は、前記表示器は、複数の表示エリアを有し、その中央部がガラスで構成されている前記請求項１〜８のいずれか１項に記載の観察光学機器であり、
請求項１０は、前記表示器は、それぞれ独立に動作する複数の表示部を有する
前記請求項１〜９のいずれか１項に記載の観察光学機器であり、
請求項１１は、前記表示器は、観察光学機器の視野外の部分に格納可能とされている
前記請求項１〜１０のいずれか１項に記載の観察光学機器であり、
請求項１２は、前記表示器は、観察光学機器の視野全域に対して表示可能な透過型表示器を有する前記請求項１１に記載の観察光学機器であり、
請求項１３は、前記表示器は、観察光学機器の視野全域に対して表示可能な非透過型表示器を有する前記請求項１１に記載の観察光学機器であり、
請求項１４は、前記表示器は、前記表示器が設けられている側とは反対側の視野全域に対して視野内の明るさを暗くする遮蔽手段を有する前記請求項１３に記載の観察光学機器であり、
請求項１５は、前記表示器は、観察光学機器の一対の視野にそれぞれ設けられている
前記請求項１〜１４のいずれか１項に記載の観察光学機器であり、
請求項１６は、前記数値情報伝達手段は、前記数値情報を聴覚的に伝達する音声伝達器をさらに有する前記請求項１〜１５のいずれか１項に記載の観察光学機器である。
【発明の効果】
【０００８】
本発明によれば、前記数値情報伝達手段は、焦点位置に配置され、前記数値情報の内、最大の桁数からなる数値情報を表示可能な桁数を有する表示器を有するから、複数の数値情報を得ることができる。
【０００９】
また、本発明によれば、前記数値情報測定手段は、時計、温度センサ、磁気センサ、傾斜角センサ、計数器、および距離測定器の少なくともいずれか１つを有することで、各種の数値情報を測定することができる。
【００１０】
さらに、本発明によれば、前記切替スイッチにより切り替えられた前記数値情報に対応するように演算器が、前記数値情報測定手段に指令するから、前記数値情報測定手段から表示器に対応する前記数値情報を送るので、現在、どの数値情報が表示されているかを知ることができる。
【００１１】
そして、本発明によれば、前記演算器は、前記数値情報の種類毎に区別して表示するように前記数値情報伝達手段に指令するから、現在、どの数値情報が表示されているか、容易に知ることができる。
【００１２】
また、本発明によれば、前記演算器は、前記数値情報の種類毎に対応した表示時間に区別して、前記数値情報を表示するように前記数値情報伝達手段に指令するから、同時に知りたい数値情報が複数ある場合に、例えば、切替スイッチを使用する手間を省くことができる。
【００１３】
さらに、本発明によれば、前記演算器は、変更スイッチにより変更された前記表示時間に対応するように前記数値情報測定手段に指令するから、知りたい数値情報と、そうでない数値情報とを区別することができる。
【００１４】
そして、本発明によれば、前記演算器は、単位時間当たりの前記数値情報の変化量が、所定の変化量を超えた際に、前記表示時間を変更し、変更された前記表示時間に対応するように前記数値情報測定手段に指令するから、例えば、急激な変化量のある情報に対して、変化量の過程を容易に知ることができる。
【００１５】
また、本発明によれば、前記表示器は、前記数値情報の種類を示す情報種類表示を予め有しているから、高精細な記号や文字で情報種類表示を形成することができる。
【００１６】
さらに、本発明によれば、前記表示器は、複数の表示エリアを有しているので、複数の情報が表示可能であり、その中央部がガラスで構成されているので、視野中央部では景色を明るく観察できる。
【００１７】
そして、本発明によれば、前記表示器は、それぞれ独立に動作する複数の表示部を有するから、より一層多数の数値情報を表示することができる。
【００１８】
また、本発明によれば、前記表示器は、双眼鏡の視野外の部分に格納可能とされているから、数値情報を必要としない場合には、広い視野で観察することができる。
【００１９】
さらに、本発明によれば、前記表示器は、双眼鏡の視野全域に対して表示可能な透過型表示器を有するから、表示できる数値情報をより多くすることができる。
【００２０】
そして、本発明によれば、前記表示器は、双眼鏡の視野全域に対して表示可能な非透過型表示器を有するから、高精細な画面となり、より詳細な数値情報や映像情報を表示することができる。
【００２１】
また、本発明によれば、前記表示器は、前記表示器の存在する側とは反対側の視野全域に対して視野内の明るさを暗くする遮蔽手段を有するから、片目を使用しないので、片目で情報を見る際の目の疲労を少なくすることができる。
【００２２】
さらに、本発明によれば、前記表示器は、双眼鏡の一対の視野にそれぞれ設けられているから、より一層多くの数値情報を知ることができる。
【００２３】
そして、本発明によれば、前記数値情報伝達手段は、前記数値情報を聴覚的に伝達する音声伝達器をさらに有するから、目からと耳からの２通りで数値情報が伝達されるので、確実に数値情報を知ることができる。
【発明を実施するための最良の形態】
【００２４】
［第１実施形態］
［双眼鏡］
以下の第１実施形態において、本発明に係る観察光学機器の一例として、双眼鏡を説明する。なお、観察光学機器としては、双眼鏡の他に、単眼鏡、望遠鏡等を挙げることができる。ここで、図１は、本発明の第１実施形態に係る双眼鏡の全体を示す概略図を示している。また、図２は、後述する液晶表示板４に数値情報を表示させるための回路構成を示すブロック図を示している。
【００２５】
本発明に係る双眼鏡１は、接眼光学系２と、対物光学系３と、液晶表示板４と、時計５、温度センサ６、コンパス７、傾斜角センサ２３、計数器２５と、切替スイッチ８と、コントローラ９と、デコーダ１０と、セグメントドライバ１１とを備えてなる。
【００２６】
接眼光学系２および対物光学系３は、それぞれ、１つ以上の光学レンズが組み合わされて構成されている。
【００２７】
液晶表示板４は、双眼鏡１の焦点位置、すなわち接眼光学系２および対物光学系３の光軸Ｘ上の焦点位置に配置されている。液晶表示板４は、前記数値情報の内、最大の桁数からなる数値情報を表示可能な桁数を有しており、数値情報を複数、もしくは切替えにより様々な数値情報が表示可能な桁数を有する。なお、本実施形態においては、この液晶表示板４に数値情報を表示させるために、図２に示されるような回路構成を採用している。
【００２８】
本実施形態においては、所定の数値情報を測定する数値情報測定手段としては、時計５、温度センサ６、コンパス７、計数器２５、および傾斜角センサ２３を採用している。
【００２９】
なお、数値情報測定手段としては、この他にも、（１）所定の２点間の距離を測定する距離測定器、（２）現在の位置情報を測定するGPSを使用する測位システム、（３）高度などを測定する気圧センサ、（４）日光放射照度などを測定する照度センサ、（５）紫外線量を測定するＵＶセンサ、（６）湿度を測定する湿度センサ、（７）風速を測定する風速センサ、（８）双眼鏡の揺れ量などを測定する角速度センサまたは加速度センサ、（９）人体や動物を感知する焦電センサ、（１０）使用者の脈拍を測定する脈拍センサ、（１１）超音波を感知する超音波センサ、（１２）ガス量を測定するガスセンサ、（１３）動物などの匂いを測定する嗅覚センサ、（１４）鳥の声など音を感知する音センサ等を採用することもできる。
【００３０】
ここで、前記数値情報測定手段は、時計５、温度センサ６、コンパス７、計数器２５、および傾斜角センサ２３を有することで、各種の数値情報を測定することができる。
【００３１】
時計５は、具体的には、第１発振器５Ａと、カウンタ５Ｂと、コントローラ９内の時計機能部５Ｃとを備えてなる。第１発振器５Ａは、水晶振動子等から構成されてなる。第１発振器５Ａは、所定の周波数で信号を発振する。カウンタ５Ｂは、第１発振器５Ａから発振された信号をカウントする。時計機能部５Ｃは、カウンタ５Ｂから送られてくる信号に対して秒、分、時間の桁上げ処理を行う。
【００３２】
温度センサ６は、具体的には、サーミスタ６Ａと、第２発振器６Ｂと、カウンタ６Ｃと、コントローラ９内の温度センサ機能部６Ｄとを備えてなる。サーミスタ６Ａは、温度の変化によって、抵抗が変化し、この抵抗の変化によって、第２発振器６Ｂの信号の発振周波数を変化させる。カウンタ６Ｃは、第２発振器６Ｂから発振された信号をカウントする。コントローラ９内の温度センサ機能部６Ｄは、カウンタ６Ｃから送られてくる信号から、具体的な温度データに変換する。
【００３３】
コンパス７は、磁気センサ７Ａと、増幅器７Ｂと、Ａ/Ｄ変換器７Ｃと、コントローラ９内のコンパス機能部７Ｄとを備えてなる。磁気センサ７Ａは、方位や傾斜角に応じて、電圧や電流を出力信号として出力するセンサである。増幅器７Ｂは、磁気センサ７Ａから出力された出力信号を所定の倍率に増幅する。Ａ/Ｄ変換器７Ｃは、アナログ信号である増幅された出力信号をデジタル信号に変換する。コントローラ９内のコンパス機能部７Ｄは、Ａ/Ｄ変換器７Ｃからの信号に対して演算を行い、方位データに変換する。
【００３４】
傾斜角センサ２３は、傾斜角センサ２３Ａと、増幅器２３Ｂと、Ａ/Ｄ変換器２３Ｃと、コントローラ９内の傾斜角センサ機能部２３Ｄとを備えてなる。傾斜角センサ２３Ａは、方位や傾斜角に応じて、電圧や電流を出力信号として出力するセンサである。増幅器２３Ｂは、傾斜角センサ２３Ａから出力された出力信号を所定の倍率に増幅する。Ａ/Ｄ変換器２３Ｃは、アナログ信号である増幅された出力信号をデジタル信号に変換する。コントローラ９内の傾斜角センサ機能部２３Ｄは、Ａ/Ｄ変換器２３Ｃからの信号に対して演算を行い、傾斜角データに変換する。
【００３５】
計数器２５は、入力スイッチ２５Ａと、計数器機能部２５Ｂとを備えてなる。計数器２５は、入力スイッチ２５Ａを押した数だけ数値をカウント（具体的には、加算または引き算を行う）して表示する機能を有する。したがって、計数器２５によって、観察している風景内にある観察対象物としての野鳥、動物、人の数や建築物などの個数を計測することができる。
【００３６】
切替スイッチ８は、液晶表示板４に伝達される前記数値情報の種類としてのモードを切り替える。
【００３７】
コントローラ９は、切替スイッチ８により切り替えられた前記数値情報に対応するように時計５、温度センサ６、コンパス７、および傾斜角センサ２３に指令する。
【００３８】
デコーダ１０は、コントローラ９からのデータを液晶表示板４に表示するデータに変換する。セグメントドライバ１１は、デコーダ１０で変換されたデータを保持し、液晶表示板４の対応する各セグメントに信号を送る。
【００３９】
この双眼鏡１の動作を以下に説明する。まず、切替スイッチ８により、例えば、時刻を表示できるように切り替える。この切替スイッチ８により、コントローラ９が時計５から時刻を表示させるように指令する。指令された時計５から、デコーダ１０に送られ、液晶表示板４に表示するデータに変換される。変換されたデータは、セグメントドライバ１１を介して、液晶表示板４に送られる。データを送られた液晶表示板４は、時刻を表示する（図３参照）。
【００４０】
また、この時刻の表示の際に、液晶表示板４は、前記数値情報の種類を表示する（図４（Ａ）参照）。この数値情報の種類（モード）の表示によって、現在、どの数値情報が表示されているかを知ることができる。
【００４１】
また、図４（Ｂ）に示されるように、視野が丸いことを利用することにより、液晶表示板４の上段の部分を、数値情報を表示する部分とし、下段の部分を数値情報の種類（モード）を表示する部分とするようにしてもよい。この下段の部分は、ドットマトリクス表示により、様々な文字、例えば、数値情報の種類（モード）を表示するようにすることができる。
【００４２】
さらに、図４（Ｃ）に示されるように、液晶表示板４の上段の部分を、数値情報を表示する部分とし、下段の部分も数値情報を表示する部分とするようにしてもよい。本実施形態においては、上段の部分のほうが、下段の部分よりも表示できる桁数が大きい。このようにすれば、２種類の数値情報を表示することができる。具体的な表示例としては、例えば、上段の部分には、時刻が表示され、下段の部分には、方位が表示される例を挙げることができる。
【００４３】
［第２実施形態］
本発明の第２実施形態に係る双眼鏡は、図５に示されるように、前記第１実施形態に係る双眼鏡（図２参照）に対して、コントローラ９に代わってコントローラ１２を備え、さらに、点滅タイミング発生回路１３と、信号合成回路１４とを備えている点が異なる。なお、上記で説明した部材、部品等と同一の部材、部品等は、符号を同一にして説明を省略している。
【００４４】
コントローラ１２は、前記数値情報の種類毎に区別して表示するように前記数値情報伝達手段に指令する。具体的には、コントローラ１２は、表示信号セレクタ１２Ａと、メモリ１２Ｂとを備えてなる。なお、各数値情報の測定機能ブロックについては、説明を省略する。表示信号セレクタ１２Ａ、液晶表示板４に送られる表示信号を選択する。メモリ１２Ｂは、液晶表示板４における表示の点滅時間を記憶している。
【００４５】
点滅タイミング発生回路１３および信号合成回路１４は、カウンタ５Ｂとデコーダ１０との間に接続されている。
【００４６】
この双眼鏡の動作を以下に説明する。まず、切替スイッチ８により、例えば、時刻を表示できるように切り替える。この切替スイッチ８により、コントローラ９が時計５から時刻を表示させるように指令する。
【００４７】
この際、切替スイッチ８の切替により、メモリ１２Ｂが記憶している表示の点滅時間を読み出し、点滅タイミング発生回路１３に表示の点滅信号を送る（例えば、図６のような信号）。この図６において、表示する時間ｔ１と、表示しない時間ｔ２とは時間の長さが異なっている。
【００４８】
一方、表示する数値情報、例えば、時刻が表示信号セレクタ１２Ａによって選択される。点滅タイミング発生回路１３からの点滅信号と、表示信号セレクタ１２Ａからの表示信号が信号合成回路１４によって合成される。合成された信号は、デコーダ１０によって、液晶表示板４に表示するデータに変換される。変換されたデータは、セグメントドライバ１１を介して、液晶表示板４に送られる。データを送られた液晶表示板４は、時刻を表示する。
【００４９】
コントローラ１２は、前記数値情報の種類毎、例えば、時刻を表示点滅する時間を変えることで、区別して表示するように前記数値情報伝達手段、例えば、時計５に指令するから、現在、どの数値情報、例えば、時刻が表示されているか、容易に知ることができる。
【００５０】
［第３実施形態］
本発明の第３実施形態に係る双眼鏡は、図７に示されるように、前記第１実施形態に係る双眼鏡（図２参照）に対して、コントローラ９に代わってコントローラ１５を備え、自動/手動切替スイッチ１６を備えている点が異なる。
【００５１】
コントローラ１５は、前記数値情報の種類毎に対応した表示時間に区別して、前記数値情報を表示するように前記数値情報伝達手段に指令する。具体的には、コントローラ１５は、表示信号セレクタ１５Ａと、自動/手動セレクタ１５Ｂと、切替タイマー１５Ｃと、メモリ１５Ｄとを備えてなる。なお、各数値情報の測定機能ブロックについては、説明を省略する。
【００５２】
表示信号セレクタ１５Ａは、液晶表示板４に送られる表示信号を選択する。自動/手動セレクタ１５Ｂは、表示信号を手動で切り替えるか、自動で切り替えるかを選択する。切替タイマー１５Ｃは、メモリ１５Ｄに記憶されている時間ごとに、選択されている数値情報の種類（モード）を順次切り替える信号を表示信号セレクタ１５Ａに送る。メモリ１５Ｄは、液晶表示板４における表示の切替時間を記憶している。
【００５３】
この双眼鏡の動作を以下に説明する。まず、自動/手動切替スイッチ１６によって、モード切替を手動で行う場合を説明する。まず、切替スイッチ８により、例えば、時刻を表示できるように切り替える。この切替スイッチ８により、コントローラ１５が時計５から時刻を表示させるように指令する。
【００５４】
次に、自動/手動切替スイッチ１６によって、モード切替を自動で行う場合を説明する。切替スイッチ８の切替により、選択する数値情報の種類（モード）を切替タイマー１５Ｃに複数入力する。そして、切替タイマー１５Ｃは、メモリ１５Ｄに記憶されている表示の切替時間ごとに、選択されている数値情報の種類（モード）を順次切り替える信号を表示信号セレクタ１５Ａに入力する。
【００５５】
入力された信号に基づいて、表示信号セレクタ１５Ａから数値情報の種類（モード）がデコーダ１０によって、液晶表示板４に表示するデータに変換される。変換されたデータは、セグメントドライバ１１を介して、液晶表示板４に送られる。データを送られた液晶表示板４は、時刻等を表示する。
【００５６】
コントローラ１５は、数値情報の種類毎、例えば、時刻、温度等に対応した表示時間に区別して、前記数値情報を表示するように例えば、時計５および温度センサ６に指令するから、同時に知りたい数値情報が複数（時刻、温度等）ある場合に、切替スイッチ８を使用する手間を省くことができる。
【００５７】
［第４実施形態］
本発明の第４実施形態に係る双眼鏡は、図８に示されるように、前記第３実施形態に係る双眼鏡（図７参照）に対して、切替時間設定スイッチ１７を備えている点が異なる。
【００５８】
この双眼鏡の動作を以下に説明する。まず、自動/手動切替スイッチ１６によって、モード切替を手動で行う場合を説明する。まず、切替スイッチ８により、例えば、時刻を表示できるように切り替える。この切替スイッチ８により、コントローラ１５が時計５から時刻を表示させるように指令する。
【００５９】
次に、自動/手動切替スイッチ１６によって、モード切替を自動で行う場合を説明する。切替スイッチ８の切替により、選択する数値情報の種類（モード）を切替タイマー１５Ｃに複数入力する。そして、切替タイマー１５Ｃは、メモリ１５Ｄに記憶されている表示の切替時間ごとに、選択されている数値情報の種類（モード）を順次切り替える信号を表示信号セレクタ１５Ａに入力する。そして、切替時間は、切替時間設定スイッチ１７によって、メモリ１５Ｄに記憶されている表示の切替時間を切り替えることができる。
【００６０】
コントローラ１５は、変更スイッチとしての切替時間設定スイッチ１７により変更された前記表示時間に対応するように前記数値情報測定手段に指令するから、知りたい数値情報（例えば、時刻）と、そうでない数値情報（例えば、温度）とを区別することができる。
【００６１】
［第５実施形態］
本発明の第５実施形態に係る双眼鏡は、図９に示されるように、前記第１実施形態に係る双眼鏡（図２参照）に対して、コントローラ９に代わってコントローラ１８を備え、さらに、自動/手動切替スイッチ１６と、切替時間設定スイッチ１７とを備えている点が異なる。
【００６２】
コントローラ１８は、単位時間当たりの前記数値情報(温度、方位、および傾斜角のデータ)の変化量が、所定の変化量を超えた際に、前記表示時間を変更し、変更された前記表示時間に対応するように前記数値情報測定手段に指令する。
【００６３】
具体的には、コントローラ１８は、表示信号セレクタ１８Ａと、自動/手動セレクタ１８Ｂと、切替タイマー１８Ｃと、第１メモリ１８Ｄと、第２メモリ１８Ｅと、第３メモリ１８Ｆと、単位時間変化率演算部１８Ｇとを備えてなる。なお、各数値情報の測定機能ブロックについては、説明を省略する。
【００６４】
表示信号セレクタ１８Ａは、液晶表示板４に送られる表示信号を選択する。自動/手動セレクタ１８Ｂは、表示時間を手動で切り替えるか、表示時間を自動で切り替えるかを選択する。切替タイマー１８Ｃは、メモリ１８Ｆに記憶されている時間ごとに、選択されている数値情報の種類（モード）を順次切り替える信号を表示信号セレクタ１８Ａに送る。
【００６５】
第１メモリ１８Ｄは、温度センサ６で得られる温度のデータと、コンパス７で得られる方位のデータと、傾斜角センサ２３で得られる傾斜角のデータとを格納し、単位時間ごとに最新のデータに更新している。このとき、更新前と更新後のデータを両方とも記憶している。
【００６６】
第２メモリ１８Ｅは、予め設定された単位時間当たりの前記数値情報（温度、方位および傾斜角のデータ）の変化量、すなわち基準変化率を格納している。
【００６７】
第３メモリ１８Ｆは、液晶表示板４における表示の切替時間を記憶している。
【００６８】
単位時間変化率演算部１８Ｇは、第１メモリ１８Ｄに格納されている各数値情報の更新前後のデータを用いて、単位時間あたりの各数値情報のデータの変化率を演算する。
【００６９】
この双眼鏡の動作を以下に説明する。まず、自動/手動切替スイッチ１６によって、モード切替を手動で行う場合を説明する。まず、切替スイッチ８により、例えば、時刻を表示できるように切り替える。この切替スイッチ８により、コントローラ１８が時計５から時刻を表示させるように指令する。
【００７０】
次に、自動/手動切替スイッチ１６によって、モード切替を自動で行う場合を説明する。切替スイッチ８の切替により、選択する数値情報の種類（モード）を切替タイマー１８Ｃに複数入力する。そして、切替タイマー１８Ｃは、第３メモリ１８Ｆに記憶されている表示の切替時間ごとに、選択されている数値情報の種類（モード）を順次切り替える信号を表示信号セレクタ１８Ａに入力する。そして、切替時間は、切替時間設定スイッチ１７によって、第３メモリ１８Ｆに記憶されている表示の切替時間を切り替えることができる。
【００７１】
また、第１メモリ１８Ｄに格納されている、例えば、傾斜角のデータを用いて、単位時間変化率演算部１８Ｇによって、傾斜角のデータの変化率を演算する。次に、単位時間変化率演算部１８Ｇは、演算された傾斜角のデータの変化率と、第２メモリ１８Ｅに格納されている傾斜角の基準変化率とを比較する。
【００７２】
この比較の結果、演算された傾斜角のデータの変化率が、図１０に示される期間において、傾斜角の基準変化率よりも小さい場合には、単位時間変化率演算部１８Ｇは、第３メモリ１８Ｆに記憶されている表示の切替時間通りに、傾斜角を表示信号セレクタ１８Ａに入力する。
【００７３】
一方、この比較の結果、演算された傾斜角のデータの変化率が、図１０に示される期間において、傾斜角の基準変化率よりも大きい場合には、単位時間変化率演算部１８Ｇは、第３メモリ１８Ｆに記憶されている表示の切替時間に対して変更した表示の切替時間を切替タイマー１８Ｃに入力する。したがって、変更した表示の切替時間の間だけ、第１メモリ１８Ｄが傾斜角を表示信号セレクタ１８Ａに入力する。このようにすることで、急激な変化量のある情報に対して、変化量の過程を容易に知ることができる。
【００７４】
なお、本発明は、前記各実施形態に限定されるものではなく、例えば、以下のような変形例を挙げることができる。
【００７５】
例えば、表示器としての液晶表示板４は、前記数値情報の種類（モード）を示す情報種類表示を予め有しているようにしてもよい。具体的には、液晶表示板４は、図１１に示されるように、液晶表示板本体４Ａと、液晶表示板本体４Ａの表示桁部分を覆う表示枠４Ｂとを備えてなる。表示枠４Ｂには、数値情報の種類（モード）を示すモード表示がレチクルによって形成されている。数値情報の種類（モード）の例としては、「ＯＮ」、「ＯＦＦ」等を挙げることができる。また、レチクルによってモード表示を形成する際には、公知の印刷技術を用いて行うことができる。
【００７６】
このようにすれば、液晶表示板４に対して、高精細な記号や文字でモード表示を形成することができる。また、この文字を変更した別の液晶表示板４の必要が生じたときに、液晶表示板４を作り直さなくても、レチクルによって文字等が形成されている表示枠４Ｂを交換するだけで、別の液晶表示板４として使用できる。
【００７７】
液晶表示板本体４Ａは、表示枠４Ｂにあるレチクルによって形成されている文字に対して、シャッターの役割で使用される。即ち、レチクルによって文字等が形成されている部分の背景の液晶を黒パターンとすれば、レチクルによって形成されている文字が隠れ、また、液晶を透明とすれば、レチクルによって形成されている文字が、現れる仕組みである。
【００７８】
また、例えば、表示器としての液晶表示板４は、双眼鏡を覗いて得られるとともに、前記表示器の中央部分に表示される映像情報と、前記映像情報を囲むようにして、前記表示器の周辺部分に表示される前記数値情報とを表示するようにしてもよい。具体的には、液晶表示板４は、図１２に示されるように、中央部分に表示される映像情報を表示する映像情報部４Ｃと、前記映像情報を囲むようにして、前記表示器の周辺部分に表示される前記数値情報を表示する液晶表示部４Ｄとを備えてなる。
【００７９】
また、例えば、表示器としての液晶表示板４は、双眼鏡を覗いて得られるとともに、視野の周辺部分に複数の表示エリアを持つような表示器としてもよい。具体的には、液晶表示板４は、図１２に示されるように、中央部が表示手段を持たない中央ガラス部４Ｃを囲むようにして、視野の周辺部分に表示される前記数値情報を表示する液晶表示部４Ｄとを備えてなる。
【００８０】
この変形例は、複数のバリエーションを挙げることができる。例えば、変形例としては、中央ガラス部４Ｃを上下に分割された液晶表示部４Ｄで囲む例（図１２（Ａ）参照）を挙げることができる。また、変形例としては、中央ガラス部４Ｃをコ字形に液晶表示部４Ｄが囲むように配置されている例（図１２（Ｂ）参照）を挙げることができる。さらに、変形例としては、中央ガラス部４Ｃの周囲を液晶表示部４Ｄが囲むように配置されている例（図１２（Ｃ）参照）を挙げることができる。このようにすれば、情報量は多くでき、景色を明るく観察できる。なぜならば、中央部分が液晶になっていると、液晶の透過率が悪いため暗くなるからである。
【００８１】
さらに、例えば、表示器としての液晶表示板４は、それぞれ独立に動作する複数の表示部を有するようにしてもよい。具体的には、液晶表示板４は、図１３に示されるように、表示枠４Ｅと、第１液晶表示板本体４Ｆと、第２液晶表示板本体４Ｇとを備えてなる。
【００８２】
表示枠４Ｅは、図１３において、下側に形成された第１表示部４Ｈと、図１３において、左側に形成された第２表示部４Ｉとを有する。第１表示部４Ｈは、略長方形状に形成されている。第２表示部４Ｉは、略正方形状に形成されている。なお、表示枠４Ｅの中央部分から右上部分にかけて、レチクルパターンが除かれている。第１液晶表示板本体４Ｆは、第１表示部４Ｈに配置されている。第２液晶表示板本体４Ｇは、第２表示部４Ｉに配置されている。これによれば、それぞれ独立に動作する複数の表示部（第１表示部４Ｈおよび第２表示部４Ｉ）を有するから、より一層多数の数値情報を表示することができる。
【００８３】
また、例えば、表示器としての液晶表示板４は、双眼鏡の視野外の部分に格納可能とされているようにしてもよい。具体的には、液晶表示板４は、図１、図１４（Ａ）に示されるように、通常接眼光学系２および対物光学系３の光軸Ｘ上の焦点位置に配置されている。この液晶表示板４は、図１４（Ｂ）に示されるように、一端側を中心軸として、回転可能とされている例を挙げることができる。このように一端側を中心軸として、回転すれば、双眼鏡の視野外の部分に格納することできる。したがって、この双眼鏡を使用して、数値情報を必要としない場合には、広い視野で観察することができる。
【００８４】
さらに、この液晶表示板４は、図１４（Ｃ）に示されるように、光軸直交方向にスライド移動可能とされている例を挙げることができる。このように、液晶表示板４が、光軸直交方向にスライド移動すれば、双眼鏡の視野外の部分に格納することできる。したがって、この双眼鏡を使用して、数値情報を必要としない場合には、広い視野で観察することができる。表示枠４Ｂは、必要なければ無くても良い。
【００８５】
さらに、図１４の例の中で、例えば、表示器としての液晶表示板４は、図１５に示されるように、双眼鏡の視野全域（例えば、図１５  右側視野）に対して表示可能な透過型表示器を有するようにしてもよい。このようにすれば、双眼鏡の視野全域に対して表示可能な透過型表示器を有するから、表示できる数値情報をより多くすることができる。
【００８６】
また、図１４の例の中で、例えば、表示器としての液晶表示板４は、図１６に示されるように、双眼鏡の視野全域（例えば、図１６  右側視野）に対して表示可能な非透過型表示器を有するようにしてもよい。非透過型表示器としては、バックライトを使用した液晶パネル、反射型の液晶パネル、有機ＥＬパネル、ＬＥＤ、蛍光管等を挙げることができる。
【００８７】
このようにすれば、高精細な画面となり、より詳細な数値情報や映像情報を表示することができる。この映像情報としては、例えば、野鳥観察を行っているときに参考となるような野鳥のビデオクリップを挙げることができる。また、映像情報としては、例えば、液晶表示板４にテレビチューナーが搭載されている場合においては、スポーツ観戦等の時に参考となるようなテレビ映像または文字放送画面を挙げることができる。さらに、映像情報としては、例えば、液晶表示板４にカメラが搭載されている場合においては、録画する映像のライブ映像、再生映像、または静止画等を挙げることができる。
【００８８】
また、例えば、双眼鏡の表示器として液晶表示板４が設置されている側と反対側の視野全域に対して視野内の明るさを暗くする遮蔽手段を有するようにしてもよい。具体的には、図１７に示されるように、ロールカーテン４Ｊを有する。ロールカーテン４Ｊは、光軸上に設けられ、視野絞り２４の上方から下方にかけて視野を隠す。ロールカーテン４Ｊは、おろすことも、引上げることも可能に形成されてなる。これによれば、ロールカーテン４Ｊは、おろしている場合には、光路を遮蔽していので、片目を使用しないから、片目で情報を見る際に目の疲労を少なくすることができる。
【００８９】
ここでは、視野絞り２４に隣接した位置にロールカーテン４Ｊを設けているが、基本的に光軸上で、光学的に不都合を生じず視野を暗くできるところであれば、どこに設けても良い。
【００９０】
さらに、例えば、表示器としての液晶表示板４は、双眼鏡の一対の視野にそれぞれ設けられているようにしてもよい。具体的には、図１８中、右側の液晶表示板４は、表示枠４Ｋと、表示枠４Ｋの下側に配置された右側液晶表示板本体４Ｌとを備えてなる。また、図１８中、左側の液晶表示板４は、表示枠４Ｋと、表示枠４Ｋの左側に配置された左側液晶表示板本体４Ｍとを備えてなる。なお、本実施形態においては、この液晶表示板４に数値情報を表示させるために、図１９に示されるような回路構成を採用している。
【００９１】
右側液晶表示板本体４Ｌ側の回路構成としては、時計５、温度センサ６、およびコンパス７と、コントローラ２１と、デコーダ１０と、セグメントドライバ１１とを備えてなる。コントローラ２１は、時計機能部５Ｃと、温度センサ機能部６Ｄと、コンパス機能部７Ｄと、補正回路２１Ｂと、表示信号セレクタ２１Ｃとを備えてなる。
【００９２】
また、左側液晶表示板本体４Ｍ側の回路構成としては、時計５および傾斜角センサ２３と、コントローラ２２と、デコーダ１０と、セグメントドライバ１１とを備えてなる。コントローラ２２は、傾斜角センサ機能部２３Ｄを備えている。
【００９３】
この双眼鏡の動作を以下に説明する。右側液晶表示板本体４Ｌおよび左側液晶表示板本体４Ｍの両方で、傾斜角を測定する場合について説明する。まず、右側液晶表示板本体４Ｌにおけるコンパス７によって、現在の方位が測定される。測定された方位のデータは、コントローラ２１内のコンパス機能部６Ｄによって演算される。演算された方位のデータは、補正回路２１Ｂに入力される。
【００９４】
一方、左側液晶表示板本体４Ｍにおける傾斜角センサ２３によって、現在の傾斜角が測定される。測定された傾斜角のデータは、傾斜角演算回路２２Ａによって演算される。演算された傾斜角のデータは、補正回路２１Ｂに入力される。
【００９５】
ここで、補正回路２１Ｂは、コントローラ２１内のコンパス機能部７Ｄによって演算された方位データと、コントローラ２２内の傾斜角センサ機能部２３Ｄによって演算された傾斜角データとをつき合わせて、方位データに対して補正を行っている。
【００９６】
方位データに対して補正を行った後、補正された方位のデータは、表示信号セレクタ２１Ｃに入力された後、デコーダ１０に入力される。デコーダ１０に入力された傾斜角のデータは、セグメントドライバ１１を介して、右側液晶表示板本体４Ｌに入力される。一方、傾斜角データは、同様にデコーダ１０、さらにセグメントドライバ１１を介して左側液晶表示板本体４Ｍに入力される。右側液晶表示板本体４Ｌおよび左側液晶表示板本体４Ｍはそれぞれ、所定の数値情報（例えば、この場合は、方位、傾斜角）の表示をする。
【００９７】
これによれば、双眼鏡の一対の視野にそれぞれ設けられているから、より一層多くの数値情報を知ることができる。
【００９８】
以上は、コンパスの補正を傾斜角センサの情報で行う仕組みであるが、方位データを元に傾斜角の補正を行う必要がある場合には、コントローラ２２に補正回路を置き、そこでコントローラ２１内のコンパス機能部からの出力信号と、傾斜角センサ機能部７Ｄからの出力信号を突き合わせて、傾斜角データの補正を行えばよい。
【００９９】
また、ここでは、時計、温度センサ、コンパスを動作させる４Ｌ側と、傾斜角センサを動作させる４Ｍ側を接続させて動作させているが、それぞれ別個に動作させることもできる。当然ながら、この場合、補正をすることはできない。
【０１００】
また、図示は略すが、例えば、表示器としての液晶表示板４の他に、数値情報伝達手段として、数値情報を聴覚的に伝達する音声伝達器をさらに有するようにしてもよい。また、液晶表示板４の代わりに、音声伝達器を有するようにしてもよい。例えば、方位を伝達する場合に、「１１９度、１１９度、・・・」と、例えば、１秒間ごとに音声伝達器としてのスピーカ等で伝達する例を挙げることができる。また、方位と傾斜角を伝達する場合に、「方位  １１９度、傾斜角  プラス３度、・・・」と、例えば、２秒間ごとに音声伝達器としてのスピーカ等で伝達する例を挙げることができる。このようにすれば、目からと耳からの２通りで数値情報が伝達されるので、確実に数値情報を知ることができる。
【図面の簡単な説明】
【０１０１】
【図１】図１は、本発明に係る双眼鏡の全体を示す概略図を示している。
【図２】図２は、第１実施形態に係る双眼鏡において、液晶表示板に数値情報を表示させるための回路構成を示すブロック図を示している。
【図３】図３は、液晶表示板に数値情報を表示させた概略図を示している。
【図４】図４（Ａ）は、液晶表示板に数値情報およびその種類を表示させた概略図を示し、図４（Ｂ）は、液晶表示板における上下２段に、数値情報およびその種類を表示させた変形例の概略図を示し、図４（Ｃ）は、液晶表示板における上下２段に、２種類の数値情報を表示させた概略図を示している。
【図５】図５は、第２実施形態に係る双眼鏡において、液晶表示板に数値情報を表示させるための回路構成を示すブロック図を示している。
【図６】図６は、点滅信号を示す概略図を示している。
【図７】図７は、第３実施形態に係る双眼鏡において、液晶表示板に数値情報を表示させるための回路構成を示すブロック図を示している。
【図８】図８は、第４実施形態に係る双眼鏡において、液晶表示板に数値情報を表示させるための回路構成を示すブロック図を示している。
【図９】図９は、第５実施形態に係る双眼鏡において、液晶表示板に数値情報を表示させるための回路構成を示すブロック図を示している。
【図１０】図１０は、表示の切替時間を示す概略図を示している。
【図１１】図１１は、液晶表示板の変形例を示す概略図を示している。
【図１２】図１２は、液晶表示板の変形例を示す概略図を示している。
【図１３】図１３は、液晶表示板の変形例を示す概略図を示している。
【図１４】図１４は、液晶表示板の変形例を示す概略図を示している。
【図１５】図１５は、液晶表示板の変形例を示す概略図を示している。
【図１６】図１６は、液晶表示板の変形例を示す概略図を示している。
【図１７】図１７は、液晶表示板の変形例を示す概略図を示している。
【図１８】図１８は、液晶表示板の変形例を示す概略図を示している。
【図１９】図１９は、液晶表示板の変形例において、液晶表示板に数値情報を表示させるための回路構成を示すブロック図を示している。
【図２０】図２０は、従来の方法によって、数値情報を表示した概略図を示している。
【符号の説明】
【０１０２】
１    双眼鏡
２    接眼光学系
３    対物光学系
４    液晶表示板
４Ａ    液晶表示板本体
４Ｂ    表示枠
４Ｃ    中央ガラス部
４Ｄ    液晶表示部
４Ｅ    表示枠
４Ｆ    第１液晶表示板本体
４Ｇ    第２液晶表示板本体
４Ｈ    第１表示部
４Ｉ    第２表示部
４Ｊ    ロールカーテン
４Ｌ    右側液晶表示板本体
４Ｍ    左側液晶表示板本体
５    時計
５Ａ    第１発振器
５Ｂ    カウンタ
５Ｃ    時計機能部
６    温度センサ
６Ａ    サーミスタ
６Ｂ    第２発振器
６Ｃ    カウンタ
６Ｄ    温度センサ機能部
７    コンパス
７Ａ    磁気センサ
７Ｂ    増幅器
７Ｃ    Ａ/Ｄ変換器
７Ｄ    コンパス機能部
８    切替スイッチ
９    コントローラ
１０    デコーダ
１１    セグメントドライバ
１２    コントローラ
１２Ａ    表示信号セレクタ
１２Ｂ    メモリ
１３    点滅タイミング発生回路
１４    信号合成回路
１５    コントローラ
１５Ａ    表示信号セレクタ
１５Ｂ    自動/手動セレクタ
１５Ｃ    切替タイマー
１５Ｄ    メモリ
１６    自動/手動切替スイッチ
１７    切替時間設定スイッチ
１８    コントローラ
１８Ａ    表示信号セレクタ
１８Ｂ    自動/手動セレクタ
１８Ｃ    切替タイマー
１８Ｄ    第１メモリ
１８Ｅ    第２メモリ
１８Ｆ    第３メモリ
１８Ｇ    単位時間変化率演算部
２１    コントローラ
２１Ｂ    補正回路
２１Ｃ    表示信号セレクタ
２２    コントローラ
２２Ａ    傾斜角演算回路
２３    傾斜角センサ
２３Ａ    傾斜角センサ
２３Ｂ    増幅器
２３Ｃ    Ａ/Ｄ変換器
２３Ｄ    傾斜角センサ機能部
２４    視野絞り
２５    計数器
２５Ａ    入力スイッチ
２５Ｂ    計数器機能部
【図１】
2006052958.tif 000003
【図２】
2006052958.tif 000004
【図３】
2006052958.tif 000005
【図４】
2006052958.tif 000006
【図５】
2006052958.tif 000007
【図６】
2006052958.tif 000008
【図７】
2006052958.tif 000009
【図８】
2006052958.tif 000010
【図９】
2006052958.tif 000011
【図１０】
2006052958.tif 000012
【図１１】
2006052958.tif 000013
【図１２】
2006052958.tif 000014
【図１３】
2006052958.tif 000015
【図１４】
2006052958.tif 000016
【図１５】
2006052958.tif 000017
【図１６】
2006052958.tif 000018
【図１７】
2006052958.tif 000019
【図１８】
2006052958.tif 000020
【図１９】
2006052958.tif 000021
【図２０】
2006052958.tif 000022